(57)【要約】【課題】組み立て時に操作ボタンやスイッチ素子が破損することを抑制することが可能な携帯端末装置を提供することである。【解決手段】本発明にかかる携帯端末装置は、可動部１３の押圧により動作するスイッチ素子１１が固定されている基板１０と、基板１０を収容する筐体２０と、筐体２０に固定されている操作ボタン３０と、を備える。操作ボタン３０は、筐体２０の外部に露出しているボタン部３１と、スイッチ素子１１の可動部１３と当接し、ボタン部３１が押圧された際に可動部１３を押圧する押圧部３２と、を備える。押圧部３２は、第１の面３３と第２の面３５とをつなぎ、第１の面３３に対して第１の角度で傾斜している第１の傾斜面３５と、第１の面３３と第２の面３４とをつなぎ、第１の面３３に対して第１の角度よりも小さい第２の角度で傾斜している第２の傾斜面３６と、を備える。【選択図】図５
2014044843.tif 000002
【特許請求の範囲】
【請求項１】
可動部の押圧により動作するスイッチ素子が固定されている基板と、
前記基板を収容する筐体と、
前記筐体に固定されている操作ボタンと、を備え、
前記操作ボタンは、
前記筐体の外部に露出しているボタン部と、
前記スイッチ素子の前記可動部と当接し、前記ボタン部が押圧された際に前記可動部を押圧する押圧部と、を備え、
前記押圧部は、前記ボタン部と前記可動部との間に配置されている第１の面から前記可動部側に突出している第２の面において前記可動部と当接し、
更に前記押圧部は、
前記第１の面と前記第２の面とをつなぎ、前記第１の面に対して第１の角度で傾斜している第１の傾斜面と、
前記第１の面と前記第２の面とをつなぎ、前記第１の面に対して前記第１の角度よりも小さい第２の角度で傾斜している第２の傾斜面と、を備える、
携帯端末装置。
【請求項２】
前記第２の傾斜面は、前記押圧部の周囲の少なくとも一部に形成されている、請求項１に記載の携帯端末装置。
【請求項３】
前記第２の傾斜面と前記第１の面とが線で接している、請求項１または２に記載の携帯端末装置。
【請求項４】
前記第２の傾斜面の幅は、前記可動部の前記押圧部と当接する側の面の幅よりも広い、請求項１乃至３のいずれか一項に記載の携帯端末装置。
【請求項５】
前記第２の傾斜面と前記第１の面とが点で接している、請求項１または２に記載の携帯端末装置。
【請求項６】
前記第２の傾斜面は、前記第２の面の周囲のうち、前記基板を前記筐体に取り付ける際に前記スイッチ素子が移動してくる方向に設けられている、請求項１乃至５のいずれか一項に記載の携帯端末装置。
【請求項７】
前記基板を前記筐体に取り付ける際に前記スイッチ素子が移動してくる方向は前記第２の面と略平行である、請求項６に記載の携帯端末装置。
【請求項８】
前記操作ボタンは、前記第１の面の周囲に設けられ、前記操作ボタンを前記筐体に固定するための固定部を備え、
前記固定部は、前記第２の傾斜面が設けられている位置と対応する位置に切り欠き部を備える、
請求項１乃至７のいずれか一項に記載の携帯端末装置。
【請求項９】
前記押圧部は弾性変形する材料を用いて形成されている、請求項１乃至８のいずれか一項に記載の携帯端末装置。
【請求項１０】
前記筐体は、矩形状の底面と当該底面の周囲に設けられた側壁とを備え、
前記操作ボタンは前記側壁に固定されている、
請求項１乃至９のいずれか一項に記載の携帯端末装置。
【請求項１１】
前記操作ボタンは前記筐体の内側から前記側壁に固定されている、請求項１０に記載の携帯端末装置。
【請求項１２】
前記基板はフレームに固定されており、
前記基板は、前記フレームの一辺を前記筐体の一つの側壁と当接または近接させ、前記側壁と当接または近接している前記フレームの一辺を支点として前記フレームを回動することで前記筐体に取り付けられている、
請求項１０または１１に記載の携帯端末装置。
【請求項１３】
前記操作ボタンが固定されている側壁と前記基板を前記筐体に取り付ける際に前記フレームが当接または近接する側壁とは互いに隣り合う側壁である、請求項１２に記載の携帯端末装置。
【発明の詳細な説明】
【技術分野】
【０００１】
本発明は携帯端末装置に関し、特に薄型平面筐体を用いた携帯端末装置に関する。
【背景技術】
【０００２】
近年、携帯電話、スマートフォン、タブレット端末等の携帯端末装置では薄型化が進んでいる。例えば、携帯端末装置の厚さを薄くするためには、使用する部品を小型化したり、部品の数を少なくしたりする必要がある。
【０００３】
特許文献１には、携帯電話機の内部部材（例えば、バイブレータ）により生じる振動により、キートップが振動して異音が発生することを抑制することができる携帯電話機に関する技術が開示されている。
【先行技術文献】
【特許文献】
【０００４】
【特許文献１】特開２０１２−１１４６０９号公報
【発明の概要】
【発明が解決しようとする課題】
【０００５】
携帯端末装置では、筐体の外部に携帯端末装置を操作するための操作ボタンが設けられている。この操作ボタンは、筐体内部に設けられているスイッチ素子と機械的に接続されている。よって、例えばユーザが筐体外部から操作ボタンを押すことで筐体内部のスイッチ素子が押されて操作ボタンによる操作が実現する。
【０００６】
例えば、スイッチ素子は基板に固定されており、操作ボタンは筐体に固定されている。よって、筐体に基板を取り付ける際は、操作ボタンによる操作を筐体内部に設けられているスイッチ素子に伝えるために、操作ボタンとスイッチ素子とが機械的に接続されるように設ける必要がある。
【０００７】
しかしながら、筐体に基板を取り付ける際、操作ボタンおよびスイッチ素子の寸法精度や取り付け精度の誤差等によって、操作ボタンとスイッチ素子とが意図しない箇所で接触し、操作ボタンやスイッチ素子が破損するおそれがあるという問題があった。
【０００８】
上記課題に鑑み本発明の目的は、組み立て時に操作ボタンやスイッチ素子が破損することを抑制することが可能な携帯端末装置を提供することである。
【課題を解決するための手段】
【０００９】
本発明にかかる携帯端末装置は、可動部の押圧により動作するスイッチ素子が固定されている基板と、前記基板を収容する筐体と、前記筐体に固定されている操作ボタンと、を備える。前記操作ボタンは、前記筐体の外部に露出しているボタン部と、前記スイッチ素子の前記可動部と当接し、前記ボタン部が押圧された際に前記可動部を押圧する押圧部と、を備え、前記押圧部は、前記ボタン部と前記可動部との間に配置されている第１の面から前記可動部側に突出している第２の面において前記可動部と当接し、更に前記押圧部は、前記第１の面と前記第２の面とをつなぎ、前記第１の面に対して第１の角度で傾斜している第１の傾斜面と、前記第１の面と前記第２の面とをつなぎ、前記第１の面に対して前記第１の角度よりも小さい第２の角度で傾斜している第２の傾斜面と、を備える。
【発明の効果】
【００１０】
本発明により、組み立て時に操作ボタンやスイッチ素子が破損することを抑制することが可能な携帯端末装置を提供することができる。
【図面の簡単な説明】
【００１１】
【図１】実施の形態１にかかる携帯端末装置の一例を示す分解斜視図である。
【図２】実施の形態１にかかる携帯端末装置が備える筐体にフレームを取り付ける際の途中の状態を示す斜視図である。
【図３】実施の形態１にかかる携帯端末装置が備える筐体にフレームを取り付けた状態を示す斜視図である。
【図４】実施の形態１にかかる携帯端末装置の一例を示す分解斜視図である（筐体、基板、およびフレームのみを示している）。
【図５】実施の形態１にかかる携帯端末装置が備える筐体に基板（フレーム）を取り付けた状態の操作ボタンとスイッチ素子との位置関係を説明するための側面図である。
【図６】実施の形態１にかかる携帯端末装置が備える操作ボタンの一例を示す斜視図である。
【図７Ａ】実施の形態１にかかる携帯端末装置が備える筐体に基板（フレーム）を取り付ける際の操作ボタンとスイッチ素子との位置関係を説明するための側面図である。
【図７Ｂ】実施の形態１にかかる携帯端末装置が備える筐体に基板（フレーム）を取り付ける際の操作ボタンとスイッチ素子との位置関係を説明するための側面図である。
【図７Ｃ】実施の形態１にかかる携帯端末装置が備える筐体に基板（フレーム）を取り付ける際の操作ボタンとスイッチ素子との位置関係を説明するための側面図である。
【図８】実施の形態１にかかる携帯端末装置が備える操作ボタンの他の例を示す斜視図である。
【図９】実施の形態１にかかる携帯端末装置が備える操作ボタンの他の例を示す斜視図である。
【図１０Ａ】筐体に基板を取り付けた後に操作ボタンを取り付ける場合を説明するための斜視図である。
【図１０Ｂ】筐体に基板を取り付けた後に操作ボタンを取り付ける場合を説明するための斜視図である。
【図１０Ｃ】筐体に基板を取り付けた後に操作ボタンを取り付ける場合を説明するための斜視図である。
【図１１】第２の傾斜面を備えない操作ボタンを示す斜視図である。
【図１２】実施の形態２にかかる携帯端末装置の一例を示す分解斜視図である（筐体、基板、およびフレームのみを示している）。
【図１３Ａ】実施の形態２にかかる携帯端末装置が備える筐体に基板（フレーム）を取り付ける際の途中の状態を示す上面図（表示部は除く）である。
【図１３Ｂ】図１３Ａに示す場合における操作ボタンとスイッチ素子との位置関係を説明するための側面図である。
【図１４Ａ】実施の形態２にかかる携帯端末装置が備える筐体に基板（フレーム）を取り付けた状態を示す上面図（表示部は除く）である。
【図１４Ｂ】図１４Ａに示す場合における操作ボタンとスイッチ素子との位置関係を説明するための側面図である。
【発明を実施するための形態】
【００１２】
＜実施の形態１＞
以下、図面を参照して本発明の実施の形態について説明する。
図１は、実施の形態１にかかる携帯端末装置の一例を示す分解斜視図である。本実施の形態にかかる携帯端末装置１では、筐体２０と表示部６０とを接合することで形成される空間に、基板１０、バッテリ１８、およびフレーム５０が収容される。本実施の形態にかかる携帯端末装置１は、例えばスマートフォン、タブレット型の携帯端末装置、携帯電話、ゲーム機、電子書籍端末などである。
【００１３】
基板１０は、複数の回路素子を備える。回路素子は、例えば携帯端末装置を駆動するためのプロセッサ、メモリ、通信モジュール等の集積回路装置や、カメラ用の撮像素子等である。また、基板１０は外部機器と接続するためのコネクタ１７（外部インターフェース）を備える。更に、基板１０はスイッチ素子１１を備える。スイッチ素子１１の詳細については後述する。バッテリ１８は、例えばリチウムイオン二次電池である。
【００１４】
筐体２０は、筐体内に基板１０、バッテリ１８、およびフレーム５０を収容することができる。筐体２０は、矩形状の底面２５と底面２５の周囲に設けられた側壁２１〜２４とを備える。図１に示す例では、筐体２０は、筐体２０の長手方向と垂直な方向の両端に側壁２１、２２を備え、筐体２０の長手方向の両端に側壁２３、２４を備える。つまり、側壁２２は筐体２１と対向しており、側壁２４は側壁２３と対向している。また、筐体２０の側壁２１は、側壁２１を貫通している貫通孔２６を備える。携帯端末装置１を組み立てた際、基板１０に設けられたコネクタ１７は、貫通孔２６に挿通するように配置される。また、筐体２０の側壁２４には操作ボタン３０が設けられている。つまり、操作ボタン３０は基板１０が備えるスイッチ素子１１と対応する位置に設けられている。
【００１５】
筐体２０は、例えばカーボンコンポジット材料（炭素繊維強化プラスチック（ＣＦＲＰ：Carbon Fiber Reinforced Plastics））を用いて構成することができる。カーボンコンポジット材料は、カーボンを５０体積％以上含み、シリカ、アルミナなどの無機系の粘結剤、ファイバなどを含む複合材料である。カーボンコンポジット材料は、高い強度と軽さを併せ持つ。また、カーボンコンポジット材料は、樹脂材料（プラスチック材料）と比べて熱伝導率が高い。
【００１６】
本実施の形態にかかる携帯端末装置の筐体２０は、カーボンコンポジット材料を用いて形成された部分と樹脂材料を用いて形成された部分とを備えていてもよい。例えば、筐体２０の底面２５をカーボンコンポジット材料で形成し、筐体２０の周囲（曲率を有する部分）を樹脂材料を用いて形成してもよい。このように、曲率を有する部分を樹脂材料を用いて形成することで、筐体２０の加工が容易になる。カーボンコンポジット材料と樹脂材料とを有する筐体２０は、例えば、カーボンコンポジット材料を筐体２０の金型の所定の箇所に配置して射出成形することで形成することができる。
【００１７】
フレーム５０は、フレーム部材５１、５２と、フレーム部材５１とフレーム部材５２とを連結する梁部材５３、５４、５５とを備える。フレーム部材５１、５２は、携帯端末装置の長手方向に延び、梁部材５３、５４、５５は携帯端末装置の長手方向と垂直な方向に延びている。図１に示すように、基板１０およびバッテリ１８は、フレーム５０にねじ等を用いて固定される。また、基板１０およびバッテリ１８が固定されたフレーム５０は、筐体２０にねじ等を用いて固定される。
【００１８】
フレーム５０は、基板１０およびバッテリ１８を保持するため、ある程度の強度を必要とする。よって、フレーム５０は金属材料を用いて形成することが好ましい。フレーム５０に用いる材料としては、例えば、マグネシウム合金、アルミニウム、アルミニウム合金、ステンレス等を挙げることができる。なお、携帯端末装置１の軽量化を考慮すると、マグネシウム合金を用いることが好ましい。また、強度を確保できるのであれば、樹脂材料を用いてフレーム５０を形成してもよい。
【００１９】
表示部６０は、パネル６１と表示パネル６２とを備える。パネル６１は、表示パネル６２を外部環境から保護するための部材である。パネル６１は、タッチパネルであってもよい。表示パネル６２は、パネル６１に接着剤や両面テープなどを用いて貼り付けられている。表示パネル６２は、例えば液晶パネルや有機ＥＬ（Electro Luminescence）パネル等である。
【００２０】
本実施の形態にかかる携帯端末装置１を組み立てる場合は、まず、基板１０およびバッテリ１８を筐体２０側からフレーム５０に固定する。そして、基板１０およびバッテリ１８が取り付けられたフレーム５０を筐体２０に取り付ける。その後、例えば接着剤や両面テープ等を用いて表示部６０を筐体２０に取り付ける。このとき、表示部６０と筐体２０との間に位置決め用の部材や衝撃吸収部材等を設けてもよい。
【００２１】
図２は、筐体２０にフレーム５０を取り付ける際の途中の状態を示す斜視図である。図３は筐体２０にフレーム５０を取り付けた状態を示す斜視図である。図２に示すように、筐体２０にフレーム５０を固定する際、フレーム５０を筐体２０に対して斜めにして、フレーム５０のフレーム部材５１と筐体２０の側壁２１とを当接（または近接）させる。その後、筐体２０に対してフレーム５０を徐々に倒していく。換言すると、筐体２０の底面２５とフレーム２０の主面（つまり、フレーム部材５１、５２と梁部材５３〜５５とを含む面）とがなす角度が徐々に小さくなるようにする。
【００２２】
そして、図３に示すように、筐体２０の主面とフレーム５０の主面とを平行な状態とすることで、筐体２０へのフレーム５０の取り付けが完了する。その後、フレーム５０の四隅に設けられている取り付け穴と、筐体２０の四隅に設けられている固定部とを、表示部６０側からネジ等を用いて固定する。このように、筐体２０にフレーム５０を取り付ける際、フレーム５０を筐体２０に対して斜めにし、その後フレーム５０を徐々に倒していくことで、基板１０が備えるコネクタ１７を、筐体２０の側壁２１に設けられている貫通孔２６に挿通することができる。
【００２３】
図４は、本実施の形態にかかる携帯端末装置の一例を示す分解斜視図であり、携帯端末装置を図１とは異なる方向からみた図である。なお、図４では、本発明と特に関係のある筐体２０、基板１０、およびフレーム５０のみを示している。図４に示すように、基板１０はスイッチ素子１１を備える。また、筐体２０の側壁２４は操作ボタン３０を備える。例えば、操作ボタン３０は、筐体２０の内側から側壁２４に固定されている。スイッチ素子１１と操作ボタン３０は互いに対応する位置に配置されている。すなわち、スイッチ素子１１と操作ボタン３０は、基板１０（フレーム５０）を筐体２０に取り付けた際に互いに機械的に接続される位置に配置されている。
【００２４】
図５は、筐体２０に基板１０（フレーム５０）を取り付けた状態（図３参照）の操作ボタン３０とスイッチ素子１１との位置関係を説明するための側面図である。なお、図５では押圧部３２を明確に示すために、固定部３８の一部を省略して示している。
【００２５】
図５に示すように、スイッチ素子１１は、スイッチ素子本体１２と可動部１３と固定部１４とを備える。スイッチ素子１１はスイッチ素子本体１２から基板へ延びる固定部１４を介して基板１０に固定されている。ここで、固定部１４は、基板１０に設けられている端子とスイッチ素子１１とを電気的に接続するための配線を兼ねていてもよい。また、可動部１３はスイッチ素子本体１２から突出しており、可動部１３が押されることでスイッチ素子１１がオン状態またはオフ状態となる。例えば、可動部１３が押されていない場合、スイッチ素子１０はオフ状態となる。一方、可動部１３が押されると可動部１３はスイッチ素子本体１２側へ移動し、スイッチ素子１０はオン状態となる。なお、可動部１３が押されている状態をオン状態とするかオフ状態とするかは任意に決定することができる。
【００２６】
また、操作ボタン３０は、ボタン部３１と押圧部３２と固定部３８とを備える。ボタン部３１の一部は、筐体２０の外部に露出している。ボタン部３１と押圧部３２は機械的に接続されている。また、押圧部３２はスイッチ素子１２の可動部１３と当接している（つまり、機械的に接続されている）。よって、例えばユーザが筐体外部からボタン部３１を押すとその動きが押圧部３２へと伝わり、押圧部３２がスイッチ素子１２の可動部１３を押すことでスイッチ素子１１がオン状態（またはオフ状態）となる。このようにして、操作ボタンによる操作が実現する。
【００２７】
図６は、本実施の形態にかかる携帯端末装置が備える操作ボタン３０の一例を示す斜視図である。図５、図６に示すように、押圧部３２は、ボタン部３１と可動部１３との間に配置されている第１の面３３から可動部１３側に突出している第２の面３４において、スイッチ素子１１の可動部１３と当接している。また、押圧部３２の周囲には第１の傾斜面３５と第２の傾斜面３６とが形成されている。第１の傾斜面３５は、第１の面３３と第２の面３４とをつなぎ、第１の面３３に対して第１の角度で傾斜している。第２の傾斜面３６は、第１の面３３と第２の面３４とをつなぎ、第１の面３３に対して第１の角度よりも小さい第２の角度で傾斜している。第２の傾斜面３６は矩形状である。
【００２８】
換言すると、第２の傾斜面３６は第１の傾斜面３５よりも緩やかな角度で第１の面３３と第２の面３４とをつないでいる。例えば、第２の傾斜面３６は、押圧部３２の周囲の少なくとも一部に形成されている。図５、図６に示す例では、第２の傾斜面３６は、筐体２０の開口部側に形成されている（図４参照）。また、図６に示すように、第２の傾斜面３６と第１の面３３は線で接している。つまり、第２の傾斜面３６と第１の面３３とが交わる部分は線分となる。また、例えば、第２の傾斜面３６の幅は、可動部１３の押圧部３２と当接する側の面の幅（つまり、図５の紙面奥行き方向における可動部１３の幅）よりも広くしてもよい。
【００２９】
例えば、押圧部３２は弾性変形する材料を用いて形成することができる。また、弾性変形する材料を用いて、第１の面３３と押圧部３２とを一体で形成してもよい。この場合、第１の面３３と押圧部３２とを含む部材とボタン部３１とを、第１の面３３の周囲に設けられた固定部３８を用いて固定してもよい。固定部３８は、操作ボタン３０を筐体２０の側壁２４に取り付けるための取り付け穴３９を備えている。また、固定部３８は、第２の傾斜面３６が設けられている位置と対応する位置に切り欠き部４１を備えていてもよい。
【００３０】
図７Ａ〜図７Ｃは、筐体２０に基板１０（フレーム５０）を取り付ける際の操作ボタン３０とスイッチ素子１１との位置関係を説明するための側面図である。図７Ａ〜図７Ｃでは、筐体２０の開口部側（紙面上側）から基板１０を筐体２０に取り付ける場合を示している（図２、図３参照）。
【００３１】
筐体２０の開口部側から基板１０を筐体２０に取り付ける際、図７Ａに示すように、基板１０に固定されているスイッチ素子１１は、筐体２０に固定されている操作ボタン３０に対して紙面上側に位置している。その後、筐体２０に基板１０を近づけていくと、図７Ｂに示すように、スイッチ素子１１の可動部１３と操作ボタン３０の押圧部３２とが接触する。具体的には、可動部１３は押圧部３２の第２の傾斜面３６と接触する。更に筐体２０に基板１０を近づけていくと筐体２０に基板１０が取り付けられる。このとき、図７Ｃに示すように、スイッチ素子１１の可動部１３と押圧部３２の第２の面３４とが当接する。
【００３２】
すなわち、基板１０を筐体２０に取り付ける際、スイッチ素子１１が操作ボタン３０に対して略垂直方向から移動してくるため、スイッチ素子１１の可動部１３と操作ボタン３０の押圧部３２とが接触する（図７Ｂ参照）。しかし、本実施の形態にかかる携帯端末装置では、第１の傾斜面３５よりも傾斜が緩やかな第２の傾斜面３６を設けている。よって、基板１０を筐体２０に取り付ける際に可動部１３が押圧部３２と接触する箇所の形状を緩やかな傾斜状（第２の傾斜面３６）としているので、組み立て時に可動部１３と押圧部３２とが接触してスイッチ素子１１や操作ボタン３０が破損することを抑制することができる。
【００３３】
第２の傾斜面３６は、操作ボタン３０の押圧部３２の周囲の少なくとも一部に設けている。例えば、第２の傾斜面３６は、第２の面３４の周囲のうち、基板１０を筐体２０に取り付ける際にスイッチ素子１１が移動してくる方向に設けている。また、基板１０を筐体２０に取り付ける際にスイッチ素子１１の可動部１３が移動してくる方向は第２の面３４と略平行である。
【００３４】
また、図５、図６に示すように、本実施の形態にかかる携帯端末装置では、操作ボタン３０の押圧部３２の周囲の少なくとも一部のみに第２の傾斜面３６を設けることで、押圧部３２が弾性変形した際に、元の形状に戻り易くすることができる。すなわち、ボタン部３１が押されて押圧部３２が弾性変形した場合、第１の面３３と押圧部３２の第２の面３４とをつなぐ傾斜面の角度（第１の面３３に対する角度）が急であるほうが緩やかである場合よりも、押圧部３２の形状が元に戻り易い。よって、押圧部３２の周囲の少なくとも一部のみに傾斜が緩やかな第２の傾斜面３６を設けることで、傾斜が急な第１の傾斜面３５の割合を多くすることができ、押圧部３２が弾性変形した際に元の形状に戻り易くすることができる。このように、押圧部３２を元の形状に戻り易いようにすることで、ボタン部３１を押した際の操作感（クリック感）を向上させることができる。
【００３５】
また、筐体２０に基板１０を取り付ける際は、スイッチ素子１１の可動部１３が操作ボタン３０の押圧部３２と確実に当接するように、水平方向（基板の主面と平行な方向）において基板１０が若干、操作ボタン３０寄りとなるようにすることが好ましい。この場合は、スイッチ素子１１の可動部１３が操作ボタン３０の第２の傾斜面３６と接触する確率が高くなるが、第２の傾斜面３６は第１の傾斜面３５と比べて傾斜が緩やかであるので、スイッチ素子１１や操作ボタン３０が破損することを抑制することができる。
【００３６】
本実施の形態にかかる携帯端末装置では、例えば図２に示すように、基板１０が固定されているフレーム５０の一辺（フレーム部材５１）を筐体２０の一つの側壁２１と当接または近接させ、側壁２１と当接または近接しているフレーム部材５１を支点としてフレーム５０を回動することで、基板１０（フレーム５０）を筐体２０に取り付けてもよい。このとき、操作ボタン３０が固定されている側壁２４と基板１０を筐体２０に取り付ける際にフレーム５０が当接または近接する側壁２１は互いに隣り合っている。
【００３７】
このような方法で基板１０（フレーム５０）を筐体２０に取り付ける場合は、スイッチ素子１１が操作ボタン３０に対して斜め方向から移動してくる。しかし、図６に示す操作ボタン３０の第２の傾斜面３６と第１の面３３は線で接しているので（つまり、第２の傾斜面３６の形状が矩形状であるので）、スイッチ素子１１の可動部１３は第２の傾斜面３６と接しながら押圧部３２の第２の面３４へと導かれる。よって、組み立て時にスイッチ素子１１や操作ボタン３０が破損することを抑制することができる。
【００３８】
なお、操作ボタン３０が備える第２の傾斜面の形状は図６に示すような形状に限定されることはなく、例えば、図８に示す操作ボタン３０'のように、三角形としてもよい。換言すると、操作ボタン３０'の第２の傾斜面４２が第１の面３３と点で接するように構成してもよい。このように、第２の傾斜面４２を三角形とすることで、図６に示した操作ボタン３０と比べて、押圧部３２が弾性変形した際に、元の形状に戻り易くすることができる。
【００３９】
また、例えば図９に示す操作ボタン３０''のように、第２の傾斜面４３を設ける方向を斜めにしてもよい。つまり、図２に示すように、フレーム５０の一辺（フレーム部材５１）を筐体２０の一つの側壁２１と当接または近接させ、側壁２１と当接または近接しているフレーム部材５１を支点としてフレーム５０を回動することで、基板１０（フレーム５０）を筐体２０に取り付ける場合は、スイッチ素子１１が操作ボタン３０に対して斜め方向から移動してくる。よってこのような場合は、第２の傾斜面４３を設ける方向を、スイッチ素子１１が移動してくる方向としてもよい。
【００４０】
背景技術で説明したように、携帯端末装置では、筐体の外部に携帯端末装置を操作するための操作ボタンが設けられている。この操作ボタンは、筐体内部に設けられているスイッチ素子と機械的に接続されている。よって、例えばユーザが筐体外部から操作ボタンを押すことで筐体内部のスイッチ素子が押されて操作ボタンによる操作が実現する。
【００４１】
例えば、スイッチ素子は基板に固定されており、操作ボタンは筐体に固定されている。よって、筐体に基板を取り付ける際は、操作ボタンによる操作を筐体内部に設けられているスイッチ素子に伝えるために、操作ボタンとスイッチ素子とが機械的に接続されるように設ける必要がある。
【００４２】
しかしながら、筐体に基板を取り付ける際、操作ボタンおよびスイッチ素子の寸法精度や取り付け精度の誤差等によって、操作ボタンとスイッチ素子とが意図しない箇所で接触し、操作ボタンやスイッチ素子が破損するおそれがあるという問題があった。
【００４３】
このような問題を解決するために、例えば筐体に基板を取り付けた後に操作ボタンを取り付けることができる。図１０Ａ〜図１０Ｃは、筐体に基板を取り付けた後に操作ボタンを取り付ける場合を説明するための斜視図である。図１０Ａに示すように、側壁１２１〜１２４を備える筐体１２０に、基板１１０が固定されたフレーム１５０を取り付ける。ここで、側壁１２４には、基板１１０が備えるスイッチ素子１１１と対応する位置に取り付け穴１２７が形成されている。そして、筐体１２０に基板１１０（フレーム１５０）を取り付けた後、図１０Ｂに示すように、筐体１２０の外側から側壁１２４の取り付け穴１２７に操作ボタン１３０を配置する。その後、図１０Ｃに示すように、側壁１２４の取り付け穴１２７にカバーパネル１２８を設けて、操作ボタン１３０を固定する。
【００４４】
このように、筐体１２０に基板１１０（フレーム１５０）を取り付けた後に操作ボタン１３０を取り付けることで、操作ボタンやスイッチ素子が破損することを抑制することができる。しかしながら、筐体１２０に基板１１０（フレーム１５０）を取り付けた後に操作ボタン１３０を取り付ける方法では、携帯端末装置のデザイン上の制約が大きくなり、また携帯端末装置の小型化・薄型化に不利となる。更に、カバーパネル１２８が必要となるため部品点数が増加しコストが増加する。
【００４５】
また、スイッチ素子を基板（メイン基板）に搭載するのではなく、スイッチ素子用のフレキシブル基板を使用することで、操作ボタンやスイッチ素子が破損することを抑制することができる。しかしながら、この場合もフレキシブル基板を別途用意する必要があり、部品点数が増加しコストが増加する。
【００４６】
また、図１１に示すように、押圧部１３２の周囲（つまり、第２の面１３４の周囲）に、第１の傾斜面１３５のみを備える操作ボタン１３０を用いた場合は、第１の傾斜面１３５の傾斜が第１の面１３３に対して急であるため、組み立て時に可動部と押圧部１３４の第１の傾斜面１３５とが接触してスイッチ素子１１や操作ボタン３０が破損するおそれがある。
【００４７】
そこで本実施の形態にかかる携帯端末装置では、操作ボタン３０の押圧部３２に、第１の傾斜面３５よりも傾斜が緩やかな第２の傾斜面３６を設けている。よって、基板１０を筐体２０に取り付ける際に可動部１３が押圧部３２と接触する箇所の形状を緩やかな傾斜状（第２の傾斜面３６）としているので、組み立て時に可動部１３と押圧部３２とが接触してスイッチ素子１１や操作ボタン３０が破損することを抑制することができる。
【００４８】
特に、本実施の形態にかかる携帯端末装置では、図１に示すように外部機器と接続するためのコネクタ１７（例えば、ＵＳＢコネクタ、ＳＤカードコネクタ、ＳＩＭコネクタ、充電端子など）を備えている。ここで、コネクタ１７の用途を考慮すると、コネクタ１７は筐体２０の長手方向に延びる側壁２１に配置することが好ましい。よって、操作ボタン３０は、例えば筐体２０の長手方向端部側の側壁２４に配置される。
【００４９】
そして、携帯端末装置を組み立てる際は、図２に示すように、基板１０が備えるコネクタ１７を筐体２０の側壁２１に設けられている貫通孔２６に挿通するために、フレーム５０を筐体２０に対して斜めにし、その後フレーム５０を徐々に倒していく。このとき、コネクタ１７と操作ボタン３０は互いに隣り合う辺に配置されているので、基板１０に設けられているスイッチ素子１１は操作ボタン３０の斜め上方向から取り付けられることになる。よって、このようにして携帯端末装置を組み立てる場合は、操作ボタンとスイッチ素子とが意図しない箇所で接触し、操作ボタンやスイッチ素子が破損するおそれがある。
【００５０】
しかし、本実施の形態にかかる携帯端末装置では、上記のように操作ボタン３０の押圧部３２に、第１の傾斜面３５よりも傾斜が緩やかな第２の傾斜面３６を設けているので、組み立て時に可動部１３と押圧部３２とが接触してスイッチ素子１１や操作ボタン３０が破損することを抑制することができる。
【００５１】
以上で説明した本実施の形態にかかる発明により、組み立て時に操作ボタンやスイッチ素子が破損することを抑制することが可能な携帯端末装置を提供することができる。
【００５２】
＜実施の形態２＞
次に、本発明の実施の形態２について説明する。実施の形態２にかかる携帯端末装置では、図１２に示すように、フレーム５０'に突起部５８を設け、筐体２０'に突起部２８を設けている点が実施の形態１で説明した携帯端末装置と異なる。これ以外は実施の形態１で説明した携帯端末装置と同様であるので、同一の構成要素には同一の符号を付し、重複した説明は省略する。
【００５３】
なお、本実施の形態にかかる発明は、操作ボタン３０の押圧部３２に第２の傾斜面３６が形成されていない携帯端末装置にも適用することができる。つまり、本実施の形態にかかる発明において、操作ボタン３０の押圧部３２が第２の傾斜面３６を備える点は必須ではない。以下では、一例として第２の傾斜面を備えない操作ボタンを用いて説明する。
【００５４】
図１２は、本実施の形態にかかる携帯端末装置の一例を示す分解斜視図である。図１２では、本発明と特に関係のある筐体２０'、基板１０、およびフレーム５０'のみを示している。図１２に示すように、基板１０はスイッチ素子１１を備える。また、筐体２０'の側壁２４は操作ボタン３０'を備える。例えば、操作ボタン３０'は、筐体２０'の内側から筐体２４に固定されている。スイッチ素子１１と操作ボタン３０'は互いに対応する位置に配置されている。すなわち、スイッチ素子１１と操作ボタン３０'は、基板１０（フレーム５０'）を筐体２０'に取り付けた際に互いに機械的に接続される位置に配置されている。
【００５５】
また、図１２に示すように、筐体２０'は、操作ボタン３０'が設けられている側の側壁２４に突起部２８を備える。フレーム５０'は、操作ボタン３０'が設けられている側の梁部材５５に突起部５８を備える。筐体２０'の突起部２８とフレーム５０'の突起部５８は、筐体２０'の底面２５と垂直な方向において一部が互いに重畳するように形成されている。つまり、図２に示すように、基板１０が固定されているフレーム５０'の一辺（フレーム部材５１）を筐体２０'の一つの側壁２１と当接または近接させ、側壁２１と当接または近接しているフレーム部材５１を支点としてフレーム５０'を回動することで、フレーム５０'を筐体２０に取り付ける際、筐体２０'の突起部２８とフレーム５０'の突起部５８とが干渉するように、突起部２８、５８を形成する。
【００５６】
図１３Ａ、図１３Ｂは、筐体２０'に基板１０（フレーム５０'）を取り付ける際の途中の状態を示す図である。図１４Ａ、図１４Ｂは、筐体２０'に基板１０（フレーム５０'）を取り付けた状態を示す図である。
【００５７】
図１３Ａに示すように、フレーム部材５１を支点としてフレーム５０'を回動させてフレーム５０'を筐体２０'に取り付けると、筐体２０'の突起部２８とフレーム５０'の突起部５８とが干渉する。この場合、筐体２０'の側壁２４を外側に広げてフレーム５０'の突起部５８が筐体２０の突起部２８を乗り越えるようにする。
【００５８】
このとき、図１３Ｂに示すように、操作ボタン３０'の押圧部３２'の第２の面３４とスイッチ素子１１の可動部１３との間には空隙が形成される。よって、操作ボタン３０'の押圧部３２'とスイッチ素子１１の可動部１３とが接触することを抑制することができる。
【００５９】
そして、フレーム５０'の突起部５８が筐体２０'の突起部２８を乗り越えた後、図１４Ａに示すように、筐体２０'の側壁２４は元の形状、つまり側壁２４に応力が作用していない状態の形状に戻る。このとき、フレーム５０'の突起部５８は筐体２０'の突起部２８の下側に潜り込んでいる。換言すると、フレーム５０'の突起部５８は筐体２０'の突起部２８と筐体の底面２５との間に位置している。このとき、図１４Ｂに示すように、操作ボタン３０'の押圧部３２'の第２の面３４とスイッチ素子１１の可動部１３は互いに当接している。
【００６０】
以上で説明したように、本実施の形態にかかる携帯端末装置では、フレーム５０'を筐体２０'に取り付ける際に、筐体２０'の突起部２８とフレーム５０'の突起部５８とが干渉するように、突起部２８、５８を設けている。このような構成とすることで、フレーム５０'を筐体２０'に取り付ける際、筐体２０'の側壁２４を外側に広げてフレーム５０'の突起部５８が筐体２０の突起部２８を乗り越えるようにするため、操作ボタン３０'の押圧部３２'の第２の面３４とスイッチ素子１１の可動部１３との間に空隙が形成される。よって、操作ボタン３０'の押圧部３２'とスイッチ素子１１の可動部１３とが接触することを抑制することができ、組み立て時に操作ボタンやスイッチ素子が破損することを抑制することができる。
【００６１】
なお、本発明は上記実施の形態に限られたものではなく、趣旨を逸脱しない範囲で適宜変更することが可能である。例えば、本発明は携帯端末装置以外にも、操作ボタンを備えた筐体と、スイッチ素子を備えた基板とを備えた電子機器に広く適用することができる。
【００６２】
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００６３】
１  携帯端末装置
１０  基板
１１  スイッチ素子
１２  スイッチ素子本体
１３  可動部
１４  固定部
１８  バッテリ
２０  筐体
２１、２２、２３、２４  側壁
２５  底面
３０  操作ボタン
３１  ボタン部
３２  押圧部
３３  第１の面
３４  第２の面
３５  第１の傾斜面
３６、４２、４３  第２の傾斜面
３８  固定部
３９  取り付け穴
４１  切り欠き部
５０  フレーム
５１、５２  フレーム部材
５３、５４、５５  梁部材
６０  表示部
６１  パネル
６２  表示パネル
【図１】
2014044843.tif 000003
【図２】
2014044843.tif 000004
【図３】
2014044843.tif 000005
【図４】
2014044843.tif 000006
【図５】
2014044843.tif 000007
【図６】
2014044843.tif 000008
【図７Ａ】
2014044843.tif 000009
【図７Ｂ】
2014044843.tif 000010
【図７Ｃ】
2014044843.tif 000011
【図８】
2014044843.tif 000012
【図９】
2014044843.tif 000013
【図１０Ａ】
2014044843.tif 000014
【図１０Ｂ】
2014044843.tif 000015
【図１０Ｃ】
2014044843.tif 000016
【図１１】
2014044843.tif 000017
【図１２】
2014044843.tif 000018
【図１３Ａ】
2014044843.tif 000019
【図１３Ｂ】
2014044843.tif 000020
【図１４Ａ】
2014044843.tif 000021
【図１４Ｂ】
2014044843.tif 000022